【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
２つの眼と少なくとも１つの手とを有する、生きているヒトの患者の眼の光学性質を判定する方法であって、
非定常本体を有する光学装置を提供することであって、
前記本体は、２つの近位ポートおよび２つの遠位ポートを画定しており、
各近位ポートは、（ａ）それぞれのアイカップを含み、かつ（ｂ）前記患者の前記２つの眼のそれぞれの眼を受容するように構成されており、
前記本体は、それを通る２つの視覚チャネルを画定しており、前記２つの視覚チャネルの各々は、（ａ）前記２つの近位ポートのそれぞれの１つから前記２つの遠位ポートのそれぞれの１つまで延在しており、かつ（ｂ）開放視野であり、それにより、前記それぞれの眼が、前記視覚チャネルを介して、前記本体の外部にあり、かつそこから離間した標的を見ることを可能にしている、ことと、
前記患者が前記本体の移動の全ての自由度の完全な物理的制御を有するように、前記患者の少なくとも１つの手によって前記本体を完全に支持することと、
前記患者の前記２つの眼を前記２つの近位ポートと整合させることと、
前記それぞれの眼が前記標的に焦点を合わせている間に、前記２つの近位ポートのうちの１つを介して、前記本体内に配置された光源からの光を前記それぞれの眼の中へ指向し、波面を生じることと、
画像センサによって、前記２つの近位ポートのうちの１つを介して前記波面を受容することと、
前記それぞれの眼が前記標的に焦点を合わせると、前記波面の複数の順次的な画像を捕捉することと、
判定論理によって、前記波面の前記複数の順次的な画像に基づいて、前記それぞれの眼の屈折誤差を自動的に計算することと、
前記本体内に配置されたバッテリによって、前記光源、前記画像センサ、および前記判定論理に給電することと
を含む、方法。
【請求項２】
２つの眼と少なくとも１つの手とを有するヒトの患者による使用のための眼科装置であって、
非定常本体であって、前記非定常本体は、前記患者が前記本体の移動の全ての自由度の完全な物理的制御を有するように、前記患者の前記少なくとも１つの手によって完全に支持されるように構成されており、
前記本体は、２つの近位ポートおよび２つの遠位ポートを画定しており、
各近位ポートは、（ａ）それぞれのアイカップを含み、かつ（ｂ）前記患者の前記２つの眼のそれぞれの眼を受容するように構成されており、
前記本体は、それを通る２つの視覚チャネルを画定しており、前記２つの視覚チャネルの各々は、（ａ）前記２つの近位ポートのそれぞれの１つから前記２つの遠位ポートのそれぞれの１つまで延在しており、かつ（ｂ）開放視野であり、それにより、前記それぞれの眼が、前記視覚チャネルを介して、前記本体の外部にあり、かつそこから離間した標的を見ることを可能にしている、非定常本体と、
前記本体内に配置された光源であって、前記光源は、前記それぞれの眼が前記標的に焦点を合わせている間に、前記２つの近位ポートのうちの１つを介して、光を前記それぞれの眼の中へ指向し、波面を生じるように構成されている、光源と、
前記本体内に配置された画像センサであって、前記画像センサは、（ａ）前記２つの近位ポートのうちの１つを介して前記波面を受容し、かつ（ｂ）前記それぞれの眼が前記標的に焦点を合わせると、前記波面の複数の順次的な画像を捕捉するように構成されている、画像センサと、
前記本体内に配置され、前記画像センサに連結された判定論理であって、前記判定論理は、前記波面の前記複数の順次的な画像に基づいて、前記それぞれの眼の屈折誤差を自動的に計算するように構成される、判定論理と、
前記光源、前記画像センサ、および前記判定論理に給電するために、前記本体内に配置されたバッテリと
を備える、眼科装置。
【請求項３】
前記判定論理は、前記眼が前記標的を視認すると、前記それぞれの眼の調節を自動的に測定するように構成されている、請求項２に記載の眼科装置。
【請求項４】
前記判定論理は、前記それぞれの眼の調節の関数として前記屈折誤差を自動的に計算するように構成されている、請求項３に記載の眼科装置。
【請求項５】
前記判定論理は、前記眼が前記標的を視認すると、前記眼の屈折状態の変化を自動的に追跡するように構成されている、請求項４に記載の眼科装置。
【請求項６】
前記判定論理は、測定中の前記眼の屈折状態の変化が所定の値よりも小さい場合に限り、前記屈折誤差を自動的に計算するように構成されている、請求項５に記載の眼科装置。
【請求項７】
前記判定論理は、前記眼の屈折状態が閾値屈折値よりもネガティブではない前記波面の複数の順次的な画像のサブセットを用いて前記屈折誤差を自動的に計算するように構成されている、請求項２に記載の眼科装置。
【請求項８】
前記判定論理は、前記波面の複数の順次的な画像に基づいて前記閾値屈折値を自動的に計算するように構成されている、請求項７に記載の眼科装置。
【請求項９】
前記判定論理によって、前記眼が前記標的を視認すると、前記それぞれの眼の調節を自動的に測定することをさらに含む、請求項１に記載の方法。
【請求項１０】
前記判定論理によって、前記それぞれの眼の調節の関数として前記屈折誤差を自動的に計算することをさらに含む、請求項９に記載の方法。
【請求項１１】
前記判定論理によって、前記眼が前記標的を視認すると、前記眼の屈折状態の変化を自動的に追跡することをさらに含む、請求項１０に記載の方法。
【請求項１２】
前記判定論理によって、測定中の前記眼の屈折状態の変化が所定の値よりも小さい場合に限り、前記屈折誤差を自動的に計算することをさらに含む、請求項１１に記載の方法。
【請求項１３】
前記判定論理によって、前記眼の屈折状態が閾値屈折値よりもネガティブではない前記波面の複数の順次的な画像のサブセットを用いて前記屈折誤差を自動的に計算することをさらに含む、請求項１に記載の方法。
【請求項１４】
前記判定論理によって、前記波面の複数の順次的な画像に基づいて前記閾値屈折値を自動的に計算することをさらに含む、請求項１３に記載の方法。
【手続補正２】
【補正対象書類名】明細書
【補正対象項目名】００９７
【補正方法】変更
【補正の内容】
【００９７】
本発明の例証的実施形態は、その上にコンピュータ可読プログラムコードを伴うコンピュータ使用可能媒体を有する、コンピュータプログラム製品として実装されてもよい。コンピュータ可読コードは、従来のプロセスに従って、コンピュータシステムによって読み取り、利用されてもよい。
例えば、本明細書は、以下を提供する。
（項目１）
生物の眼の光学性質を判定する方法であって、
上記方法は、
視覚チャネルをともに形成する近位ポートおよび遠位ポートを有する、光学装置を提供するステップと、
上記眼を上記近位ポートと整合させるステップと、
有効無限遠で標的指標を生じるステップであって、上記標的指標は、上記視覚チャネルを通して視認可能である、ステップと、
上記標的指標に上記眼の焦点を合わせるステップと、
上記眼が上記標的指標を視認すると、上記眼の調節を判定するステップと、
上記判定された調節の関数として、上記眼の光学性質を計算するステップと、
を含む、方法。
（項目２）
上記眼の調節に関するデータを収集するステップをさらに含み、
上記光学性質を計算するステップは、
ａ）上記眼が調節しているとき、および上記眼が部分的にのみ調節しているときを識別するために、調節に関する上記データを使用するステップと、
ｂ）上記光学性質を計算するように、上記眼が部分的にのみ調節しているときに関するデータを選択するステップと、
を含む、項目１に記載の方法。
（項目３）
上記光学性質を計算するステップは、上記眼が調節しているときに関する上記データを破棄するステップを含む、項目２に記載の方法。
（項目４）
上記装置に連結される標的光源によって、標的光線を生成するステップと、
上記標的光線を用いて上記標的指標を生じるステップと、
をさらに含む、項目１に記載の方法。
（項目５）
調節を判定するステップは、上記眼が上記標的指標に焦点を合わせると、上記眼から光の波面の複数の順次画像を取得するステップを含む、項目１に記載の方法。
（項目６）
上記光学性質を計算するステップは、上記順次画像のタイミングの関数として上記光学性質を計算するステップを含む、項目５に記載の方法。
（項目７）
調節を判定するステップは、上記眼が上記標的指標に焦点を合わせると、上記眼からの光の波面の複数の順次画像からの測定を使用して、上記眼の光学収差の変化を追跡するステップを含む、項目５に記載の方法。
（項目８）
上記眼の調節を判定するステップは、上記複数の順次画像から１つまたはそれを上回る画像をフィルタにかけるステップを含む、項目５に記載の方法。
（項目９）
上記フィルタにかけるステップは、上記眼の調節の変化率を含む、上記眼の生理学的パラメータに基づく、項目８に記載の方法。
（項目１０）
上記眼の上記光学性質を計算するステップは、上記光学性質を計算するために波面収差計を使用するステップを含む、項目１に記載の方法。
（項目１１）
上記標的指標に上記眼の焦点を合わせるステップは、上記標的指標が上記装置から少なくとも約１０フィートにある間に、上記標的指標に上記眼の焦点を合わせるステップを含む、項目１に記載の方法。
（項目１２）
上記光学性質を計算するステップは、上記眼のための処方を計算するステップを含む、項目１に記載の方法。
（項目１３）
視覚チャネルをともに形成する、近位ポートおよび遠位ポートと、
有効無限遠で標的指標を生じるように構成される、標的光源であって、上記標的指標は、上記視覚チャネルを通して視認可能である、標的光源と、
眼が上記標的指標を視認すると、上記眼の調節を判定するように構成される、判定論理と、
を備える、光学装置。
（項目１４）
上記近位ポートおよび遠位ポートを形成する本体であって、上記判定論理をさらに含有する、本体をさらに備える、項目１３に記載の光学装置。
（項目１５）
上記判定論理は、上記眼の上記判定された調節の関数として、上記眼のための処方を計算するように構成される、項目１３に記載の光学装置。
（項目１６）
上記判定論理と動作可能に連結される波面画像センサをさらに備え、上記画像センサは、上記眼が上記標的指標に焦点を合わせると、波面の複数の順次画像を捕捉するように構成される、項目１３に記載の光学装置。
（項目１７）
調節を判定するための上記論理は、上記順次画像のタイミングの関数として、上記処方を計算するように構成される、項目１６に記載の光学装置。
（項目１８）
上記判定論理は、上記順次画像のタイミングの関数として、上記眼のための球面処方を入力として使用する、項目１７に記載の光学装置。
（項目１９）
上記判定論理は、上記順次画像のタイミングの関数として、上記眼の球面同等（Ｍ）処方を入力として使用する、項目１７に記載の光学装置。
（項目２０）
上記判定論理と動作可能に連結されるフィルタをさらに備え、上記フィルタは、上記複数の順次画像から１つまたはそれを上回る画像をフィルタにかけるように構成される、項目１６に記載の光学装置。
（項目２１）
眼を受容するように構成される近位ポートと、
上記近位ポートを通過する波面を受容するように構成される、一次光センサのアレイであって上記一次光センサのアレイは、周辺を有する、一次光センサのアレイと、
上記一次光センサのアレイの上記周辺の外側に位置付けられる、少なくとも１つの二次光センサと、
上記一次光センサのアレイからの波面データを使用して、上記眼のパラメータを判定するように構成される回路と、
を備える、光学装置。
（項目２２）
上記近位ポートおよび遠位ポートを有し、上記近位ポートから上記遠位ポートまで視覚チャネルを形成する、非定常本体をさらに備え、上記視覚チャネルは、上記眼が、上記本体の外部にあり、かつそこから離間した標的指標を見ることを可能にするように、開放視野である、項目２１に記載の光学装置。
（項目２３）
上記近位ポートに向かって照明光線を指向し、上記波面を生じるように構成される、網膜光源をさらに備える、項目２１に記載の光学装置。
（項目２４）
上記少なくとも１つの二次光センサと動作可能に連結される、キュー発生器をさらに備え、上記キュー発生器は、上記少なくとも１つの二次光センサによる上記波面の受容の関数として、キューを生成するように構成される、項目２１に記載の光学装置。
（項目２５）
上記キュー発生器は、上記少なくとも１つの二次光センサによる上記波面の受容の関数として、視覚キュー、音響キュー、および機械キューのうちの少なくとも１つを生成するように構成される、項目２４に記載の光学装置。
（項目２６）
上記一次光センサのアレイは、上記波面に対する第１の感度を有し、上記少なくとも１つの二次光センサは、上記波面に対する第２の感度を有し、上記第１の感度は、上記第２の感度より大きい、項目２１に記載の光学装置。
（項目２７）
上記一次光センサのアレイは、ＣＣＤを備え、上記少なくとも１つの二次光センサは、象限センサを備える、項目２１に記載の光学装置。
（項目２８）
上記遠位ポートは、少なくとも部分的に光軸を画定し、上記少なくとも１つの二次光センサは、上記光軸に対する上記眼の配向の関数として、上記波面を受容するように構成される、項目２１に記載の光学装置。
（項目２９）
上記少なくとも１つの二次光センサは、上記一次光センサのアレイの上記周辺を実質的に囲む、項目２１に記載の光学装置。
（項目３０）
近位ポートから遠位ポートまで視覚チャネルをともに形成する、上記近位ポートおよび上記遠位ポートを有する、光学装置を提供するステップであって、上記装置は、周辺を有する、一次光センサのアレイと、上記一次光センサのアレイの上記周辺の外側に位置付けられる、少なくとも１つの二次光センサとをさらに含む、ステップと、
生物の眼を上記近位ポートと整合させるステップであって、上記眼は、上記装置の外部の標的指標まで上記遠位ポートを通して視認する、ステップと、
上記近位ポートを通して波面を生じるように、上記眼を照射するステップと、
上記少なくとも１つの二次光センサによって感知される上記波面の量を判定するステップと、
上記少なくとも１つの二次光センサによって感知される上記波面の量の関数として、キューを生成するステップと、
を含む、光学的方法。
（項目３１）
上記遠位ポートは、少なくとも部分的に光軸を画定し、上記方法はさらに、上記キューに応答して、上記光軸に向かって上記眼を動かすステップを含む、項目３０に記載の方法。
（項目３２）
上記遠位ポートは、少なくとも部分的に光軸を画定し、上記少なくとも１つの二次光センサは、上記光軸に対する上記眼の上記配向の関数として、上記波面を受容するように構成される、項目３０に記載の方法。
（項目３３）
上記波面を上記一次光センサのアレイに向かった一次経路に分割するステップをさらに含み、上記方法はさらに、上記波面を上記少なくとも１つの二次光センサに向かった二次経路に分割するステップを含む、項目３０に記載の方法。
（項目３４）
眼を受容するように構成される近位ポートと、
遠位ポートと、
上記近位ポートから上記遠位ポートまでの視覚チャネルと、
上記近位ポートを通過する波面を受容するように構成される、一次光センサのアレイと、
少なくとも１つの二次光センサと、
上記波面を上記一次光センサのアレイに向かった一次経路および上記少なくとも１つの二次光センサに向かった二次経路に分割するように構成される、上記視覚チャネル内の光学部と、
を備える、光学装置。
（項目３５）
上記一次光センサは、上記少なくとも１つの二次光センサに隣接する、項目３４に記載の光学装置。
（項目３６）
上記少なくとも１つの二次光センサに隣接するレンズをさらに備え、上記レンズは、上記二次経路が上記レンズを通過するように位置付けられる、項目３４に記載の光学装置。
（項目３７）
上記近位ポートに向かって照明光線を指向し、上記波面を生じるように構成される、網膜光源をさらに備える、項目３４に記載の光学装置。
（項目３８）
上記少なくとも１つの二次光センサと動作可能に連結される、キュー発生器をさらに備え、上記キュー発生器は、上記少なくとも１つの二次光センサによる上記波面の受容の関数として、キューを生成するように構成される、項目３４に記載の光学装置。
（項目３９）
上記キュー発生器は、視覚キュー、音響キュー、および機械キューのうちの少なくとも１つを生成するように構成され、上記キュー発生器は、上記少なくとも１つの二次光センサによる上記波面の受容の関数として、上記少なくとも１つのキューを生成する、項目３８に記載の光学装置。
（項目４０）
上記一次光センサのアレイは、上記波面に対する第１の感度を有し、上記少なくとも１つの二次光センサは、上記波面に対する第２の感度を有し、上記第１の感度は、上記第２の感度より大きい、項目３４に記載の光学装置。
（項目４１）
上記一次光センサのアレイは、ＣＣＤを備え、上記少なくとも１つの二次光センサは、象限センサを備える、項目３４に記載の光学装置。
（項目４２）
近位ポートから遠位ポートまで視覚チャネルをともに形成する、上記近位ポートおよび上記遠位ポートを有する、光学装置を提供するステップであって、上記装置は、一次光センサのアレイおよび少なくとも１つの二次光センサも有する、ステップと、
生物の眼を上記近位ポートと整合させるステップであって、上記眼は、上記装置の外部の標的指標まで上記遠位ポートを通して視認する、ステップと、
上記近位ポートを通して波面を生じるように、上記眼を照射するステップと、
上記波面を上記一次光センサのアレイに向かった一次経路および上記少なくとも１つの二次光センサに向かった二次経路に分割するステップと、
を含む、光学的方法。
（項目４３）
上記二次経路に沿って上記波面の上記分割部分の焦点を合わせるように、上記波面の上記二次経路をレンズに通過させるステップをさらに含む、項目４２に記載の方法。
（項目４４）
上記眼から反射して上記波面を生じるように、上記近位ポートに向かって光線を指向するステップをさらに含む、項目４２に記載の方法。
（項目４５）
上記少なくとも１つの二次光センサによる上記波面の受容の関数として、キューを生成するステップをさらに含む、項目４２に記載の方法。
（項目４６）
上記キューを生成するステップは、上記少なくとも１つの二次光センサによる上記波面の受容の関数として、視覚キュー、音響キュー、および機械キューのうちの少なくとも１つを生成するステップを含む、項目４５に記載の方法。
（項目４７）
上記少なくとも１つの二次光センサは、象限センサを備える、項目４２に記載の方法。
（項目４８）
生物の眼の光学性質を判定する方法であって、
視覚チャネルをともに形成する近位ポートおよび遠位ポートを有する、光学装置を提供するステップと、
上記眼を上記近位ポートと整合させるステップと、
波面を生じるように、光を眼の中へ指向するステップと、
上記近位ポートを介して上記波面を受容するステップと、
上記波面の複数の順次的な時間的離間データセットを捕捉するステップであって、上記データセットは、上記複数のデータセットのうちの各データセットが捕捉される相対時間を表すために十分な時間的情報を含む、ステップと、
上記時間的情報の関数として、上記眼の光学性質を判定するステップと、
を含む、方法。
（項目４９）
上記複数の順次データセットは、上記波面の画像を含む、項目４８に記載の方法。
（項目５０）
上記複数のデータセットのうちの少なくとも１つのデータセットをフィルタにかけるステップをさらに含む、項目４８に記載の方法。
（項目５１）
上記光学性質を判定するステップは、上記複数のデータセットの順序および上記複数のデータセットのコンテンツの関数として、上記光学性質を判定するステップを含む、項目４８に記載の方法。
（項目５２）
上記複数のデータセットのうちの各データセットは、波面収差情報を含む、項目４８に記載の方法。
（項目５３）
上記光学性質は、球面構成要素と、円柱構成要素とを備え、上記光学性質を判定するステップは、上記球面構成要素を判定した後に上記円柱構成要素を判定するステップを含む、項目４８に記載の方法。
（項目５４）
上記光学性質を判定するステップは、上記データの動向について上記複数のデータセットを分析するステップを含む、項目４８に記載の方法。
（項目５５）
上記複数のデータセットは、上記眼の調節に関する情報を含む、項目４８に記載の方法。
（項目５６）
信号対雑音比の関数として、上記複数のデータセットのうちのあるデータセットに加重するステップをさらに含む、項目４８に記載の方法。
（項目５７）
上記複数のデータセットは、上記波面のビデオを含む、項目４８に記載の方法。
（項目５８）
上記光学性質は、上記眼のための処方を含む、項目４８に記載の方法。
（項目５９）
生物の眼の光学性質を判定するための装置であって、
視覚チャネルをともに形成する、近位ポートおよび遠位ポートと、
光を上記眼の中へ指向して、上記近位ポートを通して受容される波面を生じるように構成される、照明光源と、
上記視覚チャネルと動作可能に連結される画像捕捉センサであって、上記センサは、上記波面の複数の順次的な時間的離間データセットを捕捉するように構成され、上記データセットは、上記複数のデータセットのうちの各データセットが捕捉される相対時間を表すために十分な時間的情報を含む、画像捕捉センサと、
上記画像捕捉センサに動作可能に連結される、光学性質論理であって、上記時間的情報の関数として、上記眼の光学性質を判定するように構成される、光学性質論理と、
を備える、装置。
（項目６０）
上記複数のデータセットは、上記波面の画像を含む、項目５９に記載の光学装置。
（項目６１）
上記複数のデータセットのうちの少なくとも１つのデータセットをフィルタにかけるように構成される、フィルタをさらに備える、項目５９に記載の光学装置。
（項目６２）
上記光学性質論理は、上記複数のデータセットの順序および上記複数のデータセットのコンテンツの関数として、光学性質を判定するために構成される論理を含む、項目５９に記載の光学装置。
（項目６３）
上記光学性質は、上記眼のための処方を含む、項目６２に記載の光学装置。
（項目６４）
上記複数のデータセットのうちの各データセットは、波面収差情報を含む、項目５９に記載の光学装置。
（項目６５）
上記光学性質は、球面構成要素と、円柱構成要素とを含み、上記光学性質論理は、上記球面構成要素を判定した後に上記円柱構成要素を判定するように構成される、項目５９に記載の光学装置。
（項目６６）
上記光学性質論理は、上記データの動向について上記複数のデータセットを分析するように構成される、項目５９に記載の光学装置。
（項目６７）
上記複数のデータセットは、上記眼の調節に関する情報を含む、項目５９に記載の光学装置。
（項目６８）
上記光学性質論理は、信号対雑音比の関数として、上記複数のデータセットのうちの少なくとも１つのデータセットに加重するように構成される、項目５９に記載の光学装置。
（項目６９）
上記順次データセットは、上記波面のビデオを含む、項目５９に記載の光学装置。
（項目７０）
生物の眼の光学性質を判定する方法であって
視覚チャネルをともに形成する近位ポートおよび遠位ポートを有する、光学装置を提供するステップと、
上記眼を上記近位ポートと整合させるステップと、
波面を生じるように光を上記眼の中へ指向するステップと、
上記近位ポートを介して上記波面を受容するステップと、
上記波面の複数の順次的な時間的離間データセットを捕捉するステップであって、上記データセットは、上記複数のデータセットのうちの各データセットが捕捉される相対時間を表すために十分な時間的情報を含み、上記データセットは、高周波雑音を含む、ステップと、
上記複数のデータセットのうちのデータセットを登録するステップと、
上記登録されたデータセットの関数として、上記眼の光学性質を判定するステップと、
を含む、方法。
（項目７１）
上記データセットを登録するステップは、上記高周波雑音を軽減するステップを含む、項目７０に記載の方法。
（項目７２）
上記データセットを登録するステップは、信号対雑音比を増加させるステップを含む、項目７０に記載の方法。
（項目７３）
上記データセットを登録するステップは、連続データセットを登録するステップを含む、項目７０に記載の方法。
（項目７４）
上記複数のデータセットは、上記波面の画像を含む、項目７０に記載の方法。
（項目７５）
登録する前に、上記複数のデータセットのうちの少なくとも１つのデータセットをフィルタにかけるステップをさらに含む、項目７０に記載の方法。
（項目７６）
各データセットは、波面収差情報を含む、項目７０に記載の方法。
（項目７７）
上記複数のデータセットは、上記波面のビデオを含む、項目７０に記載の方法。
（項目７８）
上記複数のデータセットを登録するステップは、連続データセットを登録し、雑音を軽減するように上記登録された連続データセットを組み合わせるステップを含む、項目７０に記載の方法。
（項目７９）
上記複数のデータセットを登録するステップは、
調節による上記眼の上記光学性質の変化に及ぶデータセットを回避するために、時間的にともに十分近く獲得されたデータセットを選択するステップと、
上記選択されたデータセットを登録するステップと、
を含み、上記方法はさらに、
雑音を軽減するように上記登録されたデータセットを組み合わせるステップを含む、
項目７０に記載の方法。
（項目８０）
上記複数のデータセットを登録するステップは、所定の範囲内で類似する波面収差情報を伴うデータセットを登録し、雑音を軽減するように上記登録されたデータセットを組み合わせるステップを含む、項目７０に記載の方法。
（項目８１）
生物の眼の光学性質を判定するための光学装置であって、
視覚チャネルをともに形成する、近位ポートおよび遠位ポートと、
光を上記眼の中へ指向して、上記近位ポートを通して受容される波面を生じるように構成される、照明光源と、
上記視覚チャネルと動作可能に連結される画像捕捉センサであって、上記センサは、上記波面の複数の順次的な時間的離間データセットを捕捉するように構成され、上記データセットは、上記複数のデータセットのうちの各データセットが捕捉される相対時間を表すために十分な時間的情報を含み、上記データセットは、高周波雑音を含む、画像捕捉センサと、
上記センサと動作可能に連結される、光学性質論理であって、上記光学性質論理は、上記複数のデータセットのうちの連続データセットを登録して、上記高周波雑音を軽減するように構成され、上記光学性質論理は、上記登録されたデータセットの関数として、上記眼の光学性質を判定するようにも構成される、光学性質論理と、
を備える、装置。
（項目８２）
上記複数のデータセットは、上記波面の画像を含む、項目１に記載の光学装置。
（項目８３）
登録する前に、上記複数のデータセットのうちの少なくとも１つのデータセットをフィルタにかけるように構成される、フィルタをさらに備える、項目１に記載の光学装置。
（項目８４）
上記複数のデータセットのうちの各データセットは、波面収差情報を含む、項目１に記載の光学装置。
（項目８５）
上記複数のデータセットは、上記波面のビデオを含む、項目１に記載の光学装置。
（項目８６）
上記光学性質論理は、上記登録されたデータセットを組み合わせるか、または平均して、雑音を軽減するように構成される、項目１に記載の光学装置。
（項目８７）
上記光学性質論理は、連続データセットを登録するように構成される、項目１に記載の光学装置。
（項目８８）
上記光学性質論理は、調節による上記眼の上記光学性質の変化に及ぶデータセットを回避するために、時間的にともに十分近く獲得されたデータセットを選択し、上記選択されたデータセットを登録するように構成される、項目１に記載の光学装置。
（項目８９）
上記光学性質は、眼の処方を含む、項目１に記載の光学装置。
（項目９０）
上記光学性質を計算するステップは、遠見および近見のための眼鏡の処方を計算するステップを含む、項目１２に記載の方法。